(57)【特許請求の範囲】
【請求項１】
床に構成した床面より低い四辺形の座部に嵌め込み載置状態に配された単位床部材の取外支援機構であって、前記座部に載置された前記単位床部材の一辺を押し上げるべく構成した押上機構と、前記単位床部材の押上対象である一辺に隣接する両側辺の該一辺と反対側の端部付近に、該両側辺に対応する座部の両側辺上を移動するために配した脚部材と、前記座部に載置状態となっている前記単位床部材の脚部材を収納する該座部に構成した収納凹部であって、該単位床部材の前記一辺方向に向かって上向傾斜する斜面を備えた収納凹部とで構成した単位床部材の取外支援機構において、
前記押上機構を、単位床部材の押上対象の一辺を前記座部に形成した開口部を通じて押し上げる押上部と、該押上部を昇降操作する昇降操作部とで構成し、
前記押上部を、単位床部材の前記押上対象の一辺に沿ってその下方に位置するローラ部材と、該ローラ部材を両端で支持する一対のブラケットを備えたローラ支持部材と、該ローラ支持部材を昇降自在に案内するガイド機構と、該ガイド機構に付設した、該ローラ支持部材を上昇方向に付勢するバネ部材と、該ローラ支持部材の下方に、その回動動作によりその作用点で該ローラ支持部材を押し上げるべく軸支した梃子部材と、で構成し、
前記昇降操作部を、前記梃子部材の作用点を上昇回動させるべくその力点に作用する線材であって、前記押上部を配した前記単位床部材の一辺側と隣接する一方の側辺の外部側まで延長した線材と、該線材の延長先に構成した線材の係止部と、該線材の延長先の上部に構成した床上面側への開閉自在な開口部と、で構成した単位床部材の取外支援機構。
【発明の詳細な説明】
【技術分野】
【０００１】
本発明は、建築物の床の一部に構成した着脱可能な単位床部材を取り外して床を開く際に、これを容易に行い得るように支援する単位床部材の取外支援機構に関する。
【背景技術】
【０００２】
従来、建築物の床の一部に着脱可能な単位床部材を配した床構造の例としてはガラス床ユニットがある。
【０００３】
この種のガラス床ユニットは、その概要を述べれば、床の一部に四辺形に又は格子状に支持枠を配し、いずれの場合もその四辺形の区画の内側に嵌め込み状態に板状の床ガラスを配したものであり、該床ガラスの四辺は、該支持枠の各四辺形の区画内縁下部に構成した座部に載置状態にしたものである。床ガラスの下面から固定片を延長し、支持枠中に直接に又は何らかの部材を配して構成したスリットに該固定片を挿入し、該床ガラスの浮上を防止するように構成したもの（特許文献１）もあるが、そのような固定片を採用せず、床ガラスを、上方から、例えば、吸盤を用いて吸着しながら浮上させることができるように構成したものもある。
【０００４】
本発明は、このようなガラス床ユニットに関しては、上記固定片等の支持枠への固定手段を備えず、床ガラスを取外可能に構成したそれが適用対象となる。このようなガラス床ユニットは、その下方に照明手段を配置して床から室内を照明するとか、ガラス床直下に広告手段を構成するといった使用の仕方をすることが可能であり、このように用いる場合には、該照明手段や広告手段を利用する関係者が照明手段用のランプ類やポスターその他の広告手段の交換のために該床ガラスを取り外してこの部位を開ける必要がしばしば生じる。
【０００５】
このような場合に、前記のように、例えば、吸盤を使用して該ガラス床を浮上させる等の作業を行うのでは簡易とは云えない。特に床ガラスはそのサイズにもよるが、１０数ｋｇ以上の重量を有することが多く、通常関係の業者でもなければ安全かつ容易に取り外すことはできない。しかし、前記のように、このようなガラス床ユニットを床からの照明や広告等に用いる場合は、これらの建物の使用者等のガラス床ユニットの利用者が簡単にその取り外しを行えることが希望される。
【０００６】
また、使用目的乃至用途により、前記ガラス床ユニットと同様の構成で、床材として、前記のような板ガラスではなく、種々の材質のパネル乃至プレート部材による単位床部材を採用することも可能であり、例えば、床下収納庫の蓋を該ガラス床ユニット型に構成することとし、そのガラス床に代えて、他の何らかの部材による単位床部材を採用した構成とすることもできる。
【０００７】
このような単位床部材も当然内部に収納品を納め又は取り出す際には、その単位床部材を取り外してその上部を開口する必要があるが、そのような作業は簡易に行われうる必要がある。以上の単位床部材が、木製又はプラスチック製等で軽量のものである場合は、開閉に殆ど問題は生じないが、これらが耐火のためや盗難防止等のために特別の構成となり、重量が増している場合には、前記ガラス床の場合と同様の問題が生じる。
【０００８】
【特許文献１】特開２００５−２９９３０６号公報
【発明の開示】
【発明が解決しようとする課題】
【０００９】
本発明は、建築物の床の一部に構成した着脱可能な単位床部材を取り外して床を開く際に、それらの単位床部材が大重量である等により、取り外しが容易でない場合に、これを容易に行い得るように支援する単位床部材の取外支援機構を提供することを解決の課題とする。
【課題を解決するための手段】
【００１０】
本発明の１は、床に構成した床面より低い四辺形の座部に嵌め込み載置状態に配された単位床部材の取外支援機構であって、前記座部に載置された前記単位床部材の一辺を押し上げるべく構成した押上機構と、前記単位床部材の押上対象である一辺に隣接する両側辺の該一辺と反対側の端部付近に、該両側辺に対応する座部の両側辺上を移動するために配した脚部材と、前記座部に載置状態となっている前記単位床部材の脚部材を収納する該座部に構成した収納凹部であって、該単位床部材の前記一辺方向に向かって上向傾斜する斜面を備えた収納凹部とで構成した単位床部材の取外支援機構において、
前記押上機構を、単位床部材の押上対象の一辺を前記座部に形成した開口部を通じて押し上げる押上部と、該押上部を昇降操作する昇降操作部とで構成し、
前記押上部を、単位床部材の前記押上対象の一辺に沿ってその下方に位置するローラ部材と、該ローラ部材を両端で支持する一対のブラケットを備えたローラ支持部材と、該ローラ支持部材を昇降自在に案内するガイド機構と、該ガイド機構に付設した、該ローラ支持部材を上昇方向に付勢するバネ部材と、該ローラ支持部材の下方に、その回動動作によりその作用点で該ローラ支持部材を押し上げるべく軸支した梃子部材と、で構成し、
前記昇降操作部を、前記梃子部材の作用点を上昇回動させるべくその力点に作用する線材であって、前記押上部を配した前記単位床部材の一辺側と隣接する一方の側辺の外部側まで延長した線材と、該線材の延長先に構成した線材の係止部と、該線材の延長先の上部に構成した床上面側への開閉自在な開口部と、で構成した単位床部材の取外支援機構である。
【発明の効果】
【００１５】
したがって本発明の１の単位床部材の取外支援機構によれば、該単位床部材を取り外して床の該当する部位を開こうとする場合は、前記押上機構を操作して単位床部材の押上対象の一辺を押し上げ、押し上げられた該単位床部材の該一辺付近を掴んで、若しくは、該一辺付近の上面に手を当て、該単位床部材を、該一辺側からこれと直交する方向に移動させるように押すと、該単位床部材は、その両側の反対側端部の脚部材がその構成に従って摺動しながら、若しくは転動しながら前記収納凹部から出て、座部の両側上を前記一辺側に向かって移動することになる。該単位床部材をその他辺（前記一辺と反対側の辺）が前記一辺が当初位置していた付近に位置するまで移動させると、該座部の内側は概ね単位床部材によるカバーが除去された状態となる。
【００１６】
通常は、以上のように単位床部材を動かすことで、該単位床部材に被覆されていたその下方の部位が開いた状態となるので、その内部の広告用のポスターを取り換えたり、照明用のランプを交換したり、収納しておいたものを取り出したり、或いは入れたり、若しくは、内部の目的物に対するその他の種々の操作を行うことが可能となる。
【００１７】
以上の単位床部材を更に取り外す必要があれば、これを掴んで持ち上げ、他の場所に移動させることも可能である。取付状態では、単位床部材は、四辺形の座部に嵌め込み載置状態になっているので、これをその辺で掴むことも不可能であるが、少なくともその一辺が上昇してしまうと、その側辺等を掴むことも容易になり、前記のように、両側辺等を掴んで持ち上げ、自由な位置に移動させることも可能になるものである。
【００１８】
その後、単位床部材を原位置に復帰させる場合は、原則として、以上と逆の操作を行えばよい。該単位床部材が一端側に移動させてあるだけの場合は、逆方向に移動させ、前記脚部材を前記座部に構成してある収納凹部に落ち込ませる。こうした上で、或いはその前に予め押上機構の押上作用を解除しておく。そうすると、該単位床部材は、一方で、その脚部材が収納凹部に落ち込み収納状態となり、他方で、押し上げられていた一辺側も下降することになるので、その四辺のいずれの部位も座部上に確実に載置状態となり、その上面を水平に保持することができる。
【００１９】
単位床部材を座部から完全に取り外して他の場所に移動しておいた場合は、これを復帰させ、直接、四辺形の座部に嵌め込み状態に載置させても良い。前記のように、このとき押上機構の押上作用を解除し、或いは予め解除しておけば、該単位床部材の向きを元通りにして座部上に嵌め込み載置すれば、一方で、その脚部材は収納凹部に納まり、他方で、載置時に押上状態になる辺もその重量で下降し、該単位床部材はその上面を水平状態とすることができる。
【００２０】
なお、以上の単位床部材は、座部に載置されている状態でもロックされているものではないが、該単位床部材の下方に高価な又は重要な物品等が収納されたり、配置されたりする場合には、該単位床部材を容易に取り外すことができないように、ロック機構によってロックするようにすることも可能である。
【００２４】
更に本発明の１の単位床部材の取外支援機構によれば、前記押上機構を、前記のように構成したため、以下に述べるように使用して、以下に述べるような効果を得ることができる。
まず、前記単位床部材を取り外す場合は、まず昇降操作部側の開口部を開け、前記線材の端部を掴んでこれを所定の長さだけ引出すこととする。該線材の途中を前記係止部に係止させて上記所定の長さの引き出し状態を保持させる。以上のように、該線材を所定の長さだけ引き出すと、これに伴い、前記梃子部材の力点が所定方向に引っ張られ、該梃子部材はその作用点を上昇させるべく回動することになる。
【００２５】
こうして該梃子部材の作用点は回動上昇してその上方のローラ支持部材を押し上げ、その両端のブラケットで支持されたローラ部材を押し上げることになる。該ローラ部材は、前記したように、単位床部材の押上対象の一辺の下方に位置しているため、これに伴って該単位床部材の該一辺を押し上げることになる。なお、該ローラ部材等の上昇は、座部に形成した開口部を通じて行われる。
【００２６】
前記梃子部材の回動量は、前記線材の引出し長さを適切に定めることで同様に適切に設定され、その作用点の回動による上昇量が適切に定められ、前記単位床部材の一辺が適切な高さまで押し上げられることになる。前記のように、前記線材は前記係止部でその引き出し長さ状態に係止保持され、該単位床部材の前記一辺の押し上げ状態もそのまま保持されることになる。
【００２７】
なお、該単位床部材の一辺の押し上げ高さは、該一辺付近の下面が若干床面を上回る程度とするのが適当である。
【００２８】
前記線材を引っ張って前記梃子部材を回動させ、前記ローラ部材を介して前記単位床部材の一辺を押し上げる際は、前記ガイド機構に付設したバネ部材が、常時、該ローラ部材を支持するローラ支持部材を上昇方向に付勢しているので、該バネ部材の弾力性を適切に設定しておくことで、比較的小さな力で、該線材を、所定長さだけ引き出すことが可能になる。前記梃子部材もその回動用の軸の作用点側の腕の長さと力点側の腕の長さとを適切に設定することで同様に線材を引く力を弱くて済むようにすることができる。
【００２９】
こうして単位床部材の一辺を押し上げた後は、先に述べたのと同様にして、該単位床部材を動かして閉じていたその上部を開き、必要な種々の作業を自由に行うことができる。
【００３０】
その後、単位床部材を原位置に復帰させる場合は、原則として、開けたときと逆の操作を行えばよい。該単位床部材が一端側に移動させてあるだけの場合は、逆方向に移動させ、前記脚部材を前記座部に構成してある収納凹部に落ち込ませることにする。なお、その前後の時点で、前記線材の途中の前記係止部に係止してある部分を外し、押上部の下降動作を許容するようにしておく。そうすると、単位床部材は、その脚部材が収納凹部に落ち込み収納状態となり、他方、同時に押し上げられていた一辺側もその重量により下降することとなる。しかして単位床部材はその四辺のいずれの部位も座部上に確実に載置状態となり、その上面を水平に保持することができる。
【００３１】
単位床部材を座部から完全に取り外して他の場所に移動しておいた場合は、これを復帰させ、直接、四辺形の座部に嵌め込み状態に載置させても良い。前記のように、この場合も、この時点の前後で線材の途中の係止部に係止してあった部位を外すこととすれば、該単位床部材の向きを元通りにして座部上に嵌め込み載置するだけで、一方で、その脚部材は収納凹部に納まり、他方で、嵌め込み時に押上状態になる該単位床部材の一辺も下降し、その上面全体を水平状態にすることができる。
なお、以上において、前記座部を、四辺形の支持枠の内縁下部に沿って内側に張出状態に構成することとすれば、座部を床面より低い位置に適切に構成し得、該座部の上に前記単位床部材を嵌め込み状態に載置することができることになる。そのため、該単位床部材は、前記押上機構で前記一辺を押し上げなければ、これが無用に座部から外れたりすることはない。
また前記単位床部材を、以上において、その上面が床の上面に一致する高さになるように、前記座部上に配することとすれば、該単位床部材の座部上へのはめ込み載置状態では、その上面が床の上面に一致し、他の床との段差が生じない。
更にまた、以上において、前記単位床部材を、四辺を縁保護部材で被覆保護した板ガラスで構成することとすれば、例えば、該単位床部材を取り外した際に、ガラスによる床であっても、縁が保護されているために丈夫で扱い易いものとなる。
【発明を実施するための最良の形態】
【００３２】
本発明を実施するための最良の形態を図面を参照しながら実施例に基づいて説明する。
この実施例の単位床部材の取外支援機構は、ガラス床ユニットに適用したものであり、このガラス床ユニットは、図１及び図３に示すように、床の一部に四辺形に支分支持枠１、１…を配して支持枠を構成し、この支持枠の各支分支持枠１、１…の座部２に嵌め込み載置状態に床ガラス（単位床部材）３を配して構成したものであり、この実施例の単位床部材の取外支援機構は、以上のガラス床ユニットに於ける床ガラス３の取り外しを支援する床ガラスの取外支援機構として構成したものである。
【００３３】
この取外支援機構は、図３〜図１１に示すように、前記座部２に載置された前記床ガラス３の一辺（前辺）を押し上げるための押上機構と、該床ガラス３の両側辺の後端（前辺に隣接する両側辺の該前辺と反対側の端部）付近に配した摺動脚（脚部材）３ａ、３ａと、前記座部２への載置状態時の床ガラス３の摺動脚３ａ、３ａを収納する収納凹部２ａ、２ａとで構成したものである。
【００３４】
前記座部２は、図１〜図３に示すように、四辺形に構成した支持枠の内縁に構成したものである。
該支持枠は、図１(a)及び図３(a)に示すように、アルミニウム合金製の長尺の支分支持枠１、１…を、この実施例では、平面から見て正方形の辺に沿って配し、相互に端部で結合して構成したものである。このような支分支持枠１は、図１(b)、図２(a)、(b)及び図３(b)に示すように、断面がほぼ長方形の主枠部１ａと従枠部１ｂとからなり、該主枠部１ａは支分支持枠１の上部外側に位置する外枠を構成し、該従枠部１ｂは該主枠部１ａの内側下部に位置しその上面が前記座部２となる内枠を構成している。該主枠部１ａと該従枠部１ｂとは以上の関係で一体に構成してある。
【００３５】
より詳細には、前記主枠部１ａは、特に図２(a)、(b)及び図６(a)、(b)に示すように、その上面及び下面から背後側に延長状態に張り出した床抑え鍔１ａ１及び固定鍔１ａ２を備え、その前面側上部には、同図に示すように、床ガラス３の縁保護部材３ｂの直立面に弾力的に当接する弾性当接材４の配置用の上部段差部１ａ３と該上部段差部１ａ３の直立部に横向きに配した該弾性当接材４の結合用の丸溝１ａ４とを形成してある。なお、該弾性当接材４は、合成ゴム製の長尺部材であり、図２(a)、(b)及び図６(a)、(b)に示すように、帯板部と、その背後側中央に沿って伸びる円柱状結合部と、帯板部の上部から床ガラス３側に向かって部分円弧状に下降する当接部とで構成したものである。
【００３６】
前記従枠部１ｂは、図１(b)、図２(a)、(b)及び図１２(a)、(b)、(c)に示すように、その上面が座部２になるが、該座部２には、この実施例では、設置された前記床ガラス３の両側辺の後端に対応する部位に各々前記摺動脚３ａを収納するための収納凹部２ａを構成する。該収納凹部２ａ、２ａは、特に図１２(a)、(b)、(c)に示すように、前記床ガラス３の前辺に対応する側に向かって上向き傾斜となる斜面２ａ１を備えた構成とする。
【００３７】
なお、支持枠は、前記したように、以上の支分支持枠１、１…を平面から見て正方形の辺に沿って配し、相互に端部で結合した構成とするものであるが、各支分支持枠１の両端はそれぞれ４５度の角度に切断した上で、相互を接合する。９０度の角度で接続する相互間には、このときＬ型の接続部材を相互の主枠部１ａ、１ａの隣接する部位に挿入してその接続を確かなものとする。
【００３８】
前記床ガラス３は、この実施例では、図１(b)、図２(a)、(b)、図３(b)、図６(a)、(b)及び図１２(a)、(b)、(c)に示すように、二枚のガラス板を中間膜で接合固着して構成した合わせガラスを採用したものであり、その四辺の縁には、前記したように、縁保護部材３ｂが配してある。該縁保護部材３ｂは、アルミニウム合金製の部材であり、同図に示すように、該床ガラス３の下面を支持する下面部、該下面部の外端から直立する外端直立部からなる断面Ｌ型を基本とする長尺部材で、その外端直立部の上端から外方に向けた小鍔を備えたものである。
【００３９】
なお、該縁保護部材３ｂの下面部はその上に配した合成ゴム製の帯材を介して床ガラス３の縁部下面と接合し、外端直立部は、床ガラス３の外端面との間に、下方には弾性目地材３ｃを、上方には目地材３ｄを、それぞれ充填し、それらを介して接続してある。該縁保護部材３ｂの下面部の裏面には、更に図示していない合成ゴム製の緩衝帯材が接合固定してあり、前記座部２には、該緩衝帯材を介してその上に載る状態となる。縁保護部材３ｂは、図面上では、座部２に載置状態の場合にも、該座部２との間に隙間が空いて見えるが、これは作図上の都合に過ぎず、実際には、該縁保護部材３ｂは、以上のように図示しない緩衝帯材を介して該座部２に接触状態になっている。
【００４０】
前記押上機構は、この実施例では、図３(a)、(b)、図４及び図７(a)に示すように、前記床ガラス３の前辺を前記座部２に形成した開口部２ｂを通じて押し上げる押上部５と、該押上部５を昇降操作する昇降操作部６とで構成したものである。
【００４１】
前記押上部５は、この実施例では、図３(a)、(b)、図４、図５(a)、(b)、(c)及び図７(a)、(b)、(c)に示すように、床ガラス３の前辺に沿ってその下方に位置するローラ部材５ａと、該ローラ部材５ａを両端で支持する一対のブラケット５ｂ１、５ｂ１を備えたローラ支持部材５ｂと、該ローラ支持部材５ｂを昇降自在に案内する一対の案内棒５ｃ１、５ｃ１を備えたガイド機構５ｃと、該ガイド機構５ｃの案内棒５ｃ１、５ｃ１に付設した、該ローラ支持部材５ｂを上昇方向に付勢するコイルバネ（バネ部材）５ｄ、５ｄと、該ローラ支持部材５ｂの下方に、その回動動作によりその作用点の作用点用ローラ５ｅ１で該ローラ支持部材５ｂを押し上げるべく軸支した梃子部材５ｅとで構成したものである。
【００４２】
前記ローラ部材５ａは、図３(a)、(b)、図４、図５(a)、図６(a)、(b)、図７(a)及び図８(a)、(b)に示すように、軸部材５ａ１と該軸部材５ａ１に回転自在に外装したローラ５ａ２とで構成したものであり、該軸部材５ａ１の両端は、前記したように、ローラ支持部材５ｂの両端のブラケット５ｂ１、５ｂ１で支持される。該ローラ５ａ２としては、この実施例では、プラスチックで構成したものを採用した。
【００４３】
前記ローラ支持部材５ｂは、図４、図５(a)、図６(a)、(b)、図７(a)及び図８(a)、(b)に示すように、上部開口の長方形箱形をなし、前記したように、その両端にテーパ状に立ち上がるブラケット５ｂ１、５ｂ１を備えたものである。
【００４４】
前記ガイド機構５ｃは、図３(b)、図４、図５(b)、(c)、図６(a)、図７(a)、(b)、(c)及び図８(b)に示すように、一対の案内棒５ｃ１、５ｃ１と、これらを各々昇降自在に支持する支持外筒５ｃ２、５ｃ２とで構成したものであり、該一対の案内棒５ｃ１、５ｃ１の上端は、各々前記ローラ支持部材５ｂの下部両端付近に結合し、該各支持外筒５ｃ２、５ｃ２は、その上部から周方向に張り出した鍔部で、上部支持箱７の底板部に固設する。
【００４５】
前記支持枠の内、前記床ガラス３の前辺に対応する支分支持枠１の従枠部１ｂに於ける上板部、即ち、座部２には、図３、図４及び図７(a)に示すように、その中央部に開口部２ｂを形成し、該開口部２ｂの周縁に前記上部支持箱７の上端の折り返し部を固定し、該上部支持箱７を該開口部２ｂから垂下させた状態とする。
【００４６】
こうして前記ガイド機構５ｃの一対の案内棒５ｃ１、５ｃ１で昇降自在に支持されたローラ支持部材５ｂは、これが支持するローラ部材５ａと共に、該開口部２ｂを通じて座部２の上方まで上昇し又は下降することができることになる。
【００４７】
なお、前記コイルバネ５ｄ、５ｄは、図４、図５(b)、図６(a)、図７(a)、(b)及び図８(b)に示すように、各々前記ガイド機構５ｃの案内棒５ｃ１、５ｃ１に外装させつつ、前記ローラ支持部材５ｂの下面と各支持外筒５ｃ２、５ｃ２の上端との間に介在させる。これらのコイルバネ５ｄ、５ｄは圧縮コイルバネであるが、該二つのコイルバネ５ｄ、５ｄの合計のバネ荷重は、これを前記床ガラス３の重量の１／２を若干下回る程度に設定しておくものとする。こうして該床ガラス３の前辺に、該部位を押し上げるために必要な押し上げ荷重を若干下回る程度の押し上げ荷重を常時加えておき、実際に押し上げる際には、前記昇降操作部６によって加えるべき押し上げのための荷重を少なくて済むようにしてある。
【００４８】
前記梃子部材５ｅは、図３(b)、図４、図５(b)、(c)、図６(b)、図７(a)、(b)、(c)及び図８(a)に示すように、所定間隔を空けて配した二枚のほぼ三角形の板材で構成し、その短い斜辺と底辺との作る頂点を作用点とし、二つの斜辺が作る頂点を支点とし、更に長い斜辺と底辺との作る頂点を力点とする。該梃子部材５ｅを構成する以上の二枚の板材には、前記作用点となる頂点に作用点用ローラ５ｅ１を介在させてこれを回転自在に軸着し、前記支点となる頂点に支点用軸５ｅ２を配して、該梃子部材５ｅを前記上部支持箱７に回転自在に取り付け、前記力点となる頂点に力点用ローラ５ｅ３を介在させてこれを回転自在に軸着する。
【００４９】
該梃子部材５ｅは、特に図３(b)及び図４に示すように、前記ローラ支持部材５ｂを押し上げていない状態で、前記短い斜辺が水平状態になり、この状態で該ローラ支持部材５ｂの下面に接した状態になるように、前記支点用軸５ｅ２を前記上部支持箱７に取り付ける。またこの実施例では、図４に示すように、支持枠の内側から見て、右側に作用点用ローラ５ｅ１が、左側に支点用軸５ｅ２が、そして下方に力点用ローラ５ｅ３が、それぞれ位置するように配置してある。従って力点用ローラ５ｅ３が右側に引かれると、該梃子部材５ｅは反時計回りに回動し、作用点用ローラ５ｅ１が上昇して、ローラ支持部材５ｂを押し上げることになる。
【００５０】
なお、前記作用点用ローラ５ｅ１は、図５(b)、(c)及び図７(b)、(c)に示すように、その周面が平坦に構成され、前記ローラ支持部材５ｂの下面に広い面（長い線）で当接できるようになっている。また前記力点用ローラ５ｅ３は、図４、図５(c)、図６(b)、図７(a)、(c)、図８(a)及び図９(a)、(b)に示すように、その周面中央に凹部が形成され、前記昇降操作部６の後記操作ワイヤ（線材）６ａを容易に外れることなく掛け渡すことができるようになっている。
【００５１】
なおまた、前記梃子部材５ｅ及び前記ガイド機構５ｃは、高さ方向に関して、前記支分支持枠１の従枠部１ｂの内部に収まり得ないサイズであるので、該支分支持枠１の従枠部１ｂの下面にも上部の開口部２ｂと同様のサイズの下部開口部２ｃが開口してあり、それぞれの下部はこの下部開口部２ｃから下方に垂下するようになっている。もっとも図４及び図７等に示すように、それぞれの露出した部分をカバーする下部支持箱８が該従枠部１ｂの下部には配してある。
【００５２】
前記昇降操作部６は、図３(a)、(b)、図４及び図７(a)に示すように、内端を上部支持箱７の底部に結合し、前記梃子部材５ｅの、下部支持箱８内に位置する力点用ローラ５ｅ３に掛け渡し、次いでこの位置の支分支持枠１の従枠部１ｂ内に引き込み、この中をその端部方向に延長し、更にその端部では、３(a)及び図９(a)、(b)に示すように、床ガラス３の側辺に対応する辺の支分支持枠１の主枠部１ａ内に引き込み、図３(a)及び図１１(a)、(b)、(c)に示すように、その操作端（外端）を該主枠部１ａの中央付近に配してある係止片（係止部）６ｂに着脱自在に係止する前記操作ワイヤ６ａを主たる構成要素として構成したものである。
【００５３】
該操作ワイヤ６ａの前記内端は、図３(b)、図４及び図７(a)に示すように、この実施例では、前記梃子部材５ｅを支持枠の内側（床ガラス３の直下側）から見て、上部支持箱７の底部の内、右側に位置する部位に固設したものである。また、前記操作ワイヤ６ａを配した支分支持枠１の従枠部１ｂ内及びこれに隣接するその側方の支分支持枠１の主枠部１ａ内には、図３(a)、図４及び図７(a)に示すように、その間に連続するガイドホース９が配してあり、該操作ワイヤ６ａは、該ガイドホース９の中を通じて前記範囲内に配してあるものである。
【００５４】
該ガイドホース９の内端は、図４及び図７(a)に示すように、床ガラス３の前辺に対応する支分支持枠１の従枠部１ｂ中で、前記下部支持箱８の方を向いた開口状態で固定したノズル９ａに連通状態で接続してあり、外端は、図１０(a)、(b)に示すように、該支分支持枠１に隣接する側方の支分支持枠１の主枠部１ａ内で、前記係止片６ｂの方向を向いた開口状態で固定したノズル９ｂに連通状態で接続してあるものである。
【００５５】
なお、該ガイドホース９の内端を結合するノズル９ａは、図３(b)、図４及び図７(a)に示すように、前記支分支持枠１の従枠部１ｂにＬ型取付具１１ａを介して取り付ける。該Ｌ型取付具１１ａは、その水平部を該従枠部１ｂの側面に固設し、その直立部に該ノズル９ａを固設する。該ノズル９ａは、一個のナットを螺合した状態で、これを該Ｌ型取付具１１ａの直立部の取付孔に挿入し、更に先端側からもう一つのナットを螺合し、予め螺合してあるナットと後から螺合したナットとで該直立部を挟持するように締め付け、該直立部に固定する。
【００５６】
またガイドホース９の外端を結合するノズル９ｂは、図３(a)、図９(b)、図１０(a)、(b)及び図１１(a)、(b)、(c)に示すように、前記側方の支分支持枠１の主枠部１ａにＬ型取付具１１ｂを介して取り付ける。該Ｌ型取付具１１ｂは、その水平部を該主枠部１ａの底面に固設し、その直立部に該ノズル９ｂを固設する。該ノズル９ｂは、前記ノズル９ａと同様に、一個のナットを予め螺合した状態で、これを該Ｌ型取付具１１ｂの直立部の取付孔に挿入し、更に先端側からもう一つのナットを螺合し、予め螺合してあるナットと後から螺合したナットとで該直立部を挟持するように締め付け、該直立部に固定する。
【００５７】
更に前記操作ワイヤ６ａの操作端の所定寸法だけ手前の位置には係止球６ｃを固定しておき、図１０(a)、(b)及び図１１(a)、(b)、(c)に示すように、該操作ワイヤ６ａを引き出さない状態では、該係止球６ｃが、前記ガイドホース９の外端のノズル９ｂの先端に当接係止状態となり、該操作ワイヤ６ａがそれ以上引き込まれないようになっている。
【００５８】
前記係止片６ｂは、図１０(a)、(b)及び図１１(a)、(b)、(c)に示すように、前記ノズル９ｂの延長方向の前方に配した門型部材１０の上に固設したＬ型の部材であり、特に図１０(a)に示すように、その直立部にスリット６ｂｓを形成したものである。なお該門型部材１０は、図９、図１０(b)及び図１１(a)、(b)、(c)に示すように、該係止片６ｂの下方の部位に該操作ワイヤ６ａの延長方向と直交する向きの案内ローラ１０ａを備えており、更に該門型部材１０の天板部には、該案内ローラ１０ａの直上から該操作ワイヤ６ａの延長方向末端までの部位に切欠開口部が形成してある。
【００５９】
なお、該門型部材１０は、当然、前記Ｌ型取付具１１ｂを取り付けた支分支持枠１の主枠部１ａに、該Ｌ型取付具１１ｂと後述する間隔で取り付ける。該門型部材１０は、図９(a)、図１０(a)、(b)及び図１１(a)、(b)、(c)に示すように、その両脚部を該主枠部１ａの両側部に接する状態に配する。該両脚部の一方は、一側の下部途中から内側に張り出している小鍔部１ａ５上に載せ、他方は、他側から断面Ｌ型に突き出しているＬ型座１ａ６の水平部上に載せて配するものである。
【００６０】
特に図９(a)に示すように、主枠部１ａには、Ｌ型座１ａ６を備えた側部には、上方から逆Ｌ型の垂下板１ａ７が備えられ、これが、以上の取り付け状態で、該門型部材１０の天板部に密に当接し、小鍔部１ａ５及びＬ型座１ａ６と共に、該門型部材１０の上下方向への動きを完全に規制している。主枠部１ａの長さ方向への動きは、前記案内ローラ１０ａの軸部１０ａ１が、その一端を該主枠部１ａのＬ型座１ａ６を配した側部に圧接し、小鍔部１ａ５を配した側部中間の開口から露出した他端を該側部の外側に配した板材１０ｂで圧接することで固定している。該板材１０ｂは、該側部の外面に固定してある。
【００６１】
前記ノズル９ｂから出た前記操作ワイヤ６ａは、該門型部材１０の下方を通過し、前記案内ローラ１０ａで向きを変えて上方に引き出され、前記床ガラス３を押し上げない通常の状態では、その操作端が、前記係止片６ｂの前方（該操作ワイヤ６ａの延長方向側）に位置している。この状態は、特別の手段を講じなくても概ね維持されるが、該操作ワイヤ６ａの所定寸法だけ手前に配した係止球６ｃが前記ノズル９ｂに係止することによってより確実に維持される。
【００６２】
この状態から、該操作ワイヤ６ａを順次引き出して、図１１(b)に示すように、前記係止球６ｃを該係止片６ｂの上方まで引き上げ、次いで、該操作ワイヤ６ａを該係止片６ｂの後方側に折り返し、該係止球６ｃの直下の部分を該係止片６ｂのスリット６ｂｓに挿入し、該操作ワイヤ６ａに加えている引っ張り力を緩めれば、該係止球６ｃが該係止片６ｂに当接して係止することになる。
【００６３】
この状態で、後述するように、前記床ガラス３の前辺が必要なだけ押し上げられるようになっており、以上のように該係止球６ｃを該係止片６ｂに係止することで、この状態が維持されるようになっている。なお、前記ノズル９ｂと係止片６ｂの間に位置する操作ワイヤ６ａの長さは、以上から理解されるように、前記床ガラス３を押し上げるために該操作ワイヤ６ａを引き出す必要のある寸法に一致させてあり、該操作ワイヤ６ａの操作端と前記係止球６ｃとの間の寸法である前記所定寸法もその寸法である。
【００６４】
前記係止片６ｂを配した支分支持枠１の主枠部１ａには、図９(a)、図１０(a)、(b)及び図１１(a)、(b)、(c)に示すように、その天板部に開口部１ａ８を形成し、図示しない蓋体で該開口部１ａ８を開閉自在に閉じる。該開口部１ａ８は、同図に示すように、前記係止片６ｂの直立部をほぼ中心とするその前後の範囲に対応させて天板部に開口したものである。云うまでもなく、前記操作ワイヤ６ａの引き出しや、係止片６ｂからこれを外して引き戻しをする際に、該開口部１ａ８を開ける。
【００６５】
なお、この実施例では、適用対象のガラス床ユニットの支持枠は、図１(b)、図２(a)、(b)、図６(a)、(b)、図８(a)、(b)及び図１２(a)、(b)、(c)に示すように、建築物の床構造の一部である根太１２に固設するようになっている。根太１２は、平面から見て正方形の支持枠の寸法に合わせて対応する寸法の正方形に構成してあり、同図に示すように、各辺ではその内面に、各支分支持枠１の従枠部１ｂの外面を当接させ、その上面の切欠部には主枠部１ａを載せ、該主枠部１ａの固定鍔１ａ２のビス孔を通じてビス１３をねじ込んで固定してあるものである。
【００６６】
また各辺の主枠部１ａの床抑え鍔１ａ１は、図１(b)、図２(a)、(b)、図６(a)、(b)、図８(a)、(b)及び図１２(a)、(b)、(c)に示すように、このガラス床ユニットを囲む床材１４の端部を上方から抑える状態となっている。
【００６７】
したがってこの実施例の単位床部材の取外支援機構によれば、床ガラス３を取り外して床の該床ガラス３を配した部位を開こうとする場合は、まず押上機構を操作して、該床ガラス３の前辺を所定高さまで押し上げる。
【００６８】
対象の床ガラス３の側辺の支分支持枠１の主枠部１ａに開口した開口部１ａ８を前記蓋体を操作して開け、図１１(a)に示すように、係止球６ｃがノズル９ｂの先端に当接係止状態となっている操作ワイヤ６ａの操作端（外端）を掴み、これを、図１１(b)に示すように、前記係止球６ｃが前記係止片６ｂの若干上方に位置するまで引き出し、この後、該操作ワイヤ６ａの該係止球６ｃ直下の部位を該係止片６ｂのスリット６ｂｓに進入させながら前記ノズル９ｂ側に折り返し、該操作ワイヤ６ａに加えていた引っ張り力を緩めると、図１１(c)に示すように、該係止球６ｃが該係止片６ｂに当接係止状態となる。こうして操作ワイヤ６ａは所定の引き出し状態が維持されることになる。
【００６９】
操作ワイヤ６ａの係止球６ｃが、図１１(a)に示すように、ノズル９ｂの先端に当接係止している状態では、前記押上部５の梃子部材５ｅは、図４に示すように、その短い斜辺が水平状態となっており、作用点用ローラ５ｅ１は最下降状態のローラ支持部材５ｂの下面に当接している状態となっている。床ガラス３は、台座２上に載置状態となっており、図４及び図１２(a)に示すように、その上面は水平であり、かつ周囲の床面と同一高さを維持している。
【００７０】
この状態から、前記のように、昇降操作部６の操作ワイヤ６ａを引き出すと、図７(a)に示すように、力点用ローラ５ｅ３が引かれて、床ガラス３の下方側（支持枠の内側）から見て、梃子部材５ｅが支点用軸５ｅ２を中心として反時計回りに回動し、作用点用ローラ５ｅ１が前記ローラ支持部材５ｂを押し上げることになる。これによってローラ部材５ａが押し上げられ、このローラ部材５ａによって、同図及び図１２(b)に示すように、床ガラス３の前辺が押し上げられることになる。これは、操作ワイヤ６ａを所定長さ引き出し、前記のように、係止球６ｃを係止片６ｂに係止した段階での床ガラス３の押し上げ状態である。
【００７１】
以上の床ガラス３の前辺の押し上げは、図１２(b)に示すように、該前辺の下面が床面を若干越える高さまで行うものである。
またこの段階までの押し上げは、前記ガイド機構５ｃによって安定した上昇動作が行えるように案内され、かつその案内棒５ｃ１、５ｃ１に外装したコイルバネ５ｄ、５ｄの所定のバネ荷重の弾性によって補助され、比較的小さな力で操作ワイヤ６ａを引くことで行い得られる。更に、梃子部材５ｅの支点用軸５ｅ２と力点用ローラ５ｅ１との間の長さが、支点用軸５ｅ２と作用点用ローラ５ｅ１との間の長さより長く構成されていること、並びに力点用ローラ５ｅ１が、前記したように、動滑車として作用すること、の二つにより、この面でも操作ワイヤ６ａを引く力は一層軽減される。
【００７２】
この後は、前記床ガラス３の押し上げられた前辺付近を掴んで、若しくは、該前辺付近の上面に手を当て、該床ガラス３を、図１２(c)に示すように、該前辺側から該辺に直交する方向（矢印ａの方向）に移動させ、該部位を開けることができる。このように床ガラス３を移動させると、同図に示すように、該床ガラス３の両側後部の摺動脚３ａ、３ａが収納凹部２ａ、２ａから斜面２ａ１、２ａ１をスライド上昇して該当する座部２上に載ることになり、そのまま両側の座部２上をスライド移動することになる。該床ガラス３は同方向にスムーズに移動できることになる。
【００７３】
こうして該床ガラス３は、その後辺が、初めにその前辺の位置していたところまで移動すれば、該床ガラス３で覆われていた部位はほぼ完全に開くことになる。
【００７４】
このように該床ガラス３を取り外してしまえば、目的に応じて、その内部の広告用のポスターを取り換えたり、照明用のランプを交換したり、収納しておいたものを取り出したり、或いは入れたり、若しくは、内部の目的物に対するその他の種々の操作を行うことが可能となる。
【００７５】
以上の床ガラス３を更に取り外す必要があれば、これを掴んで持ち上げ、他の場所に移動させることも可能である。取付状態では、床ガラス３は、四辺形の支持枠の内側に嵌め込み状態になっているため、これをその辺で掴むことも不可能であるが、少なくともその前辺が押し上げられてしまえば、その側辺等を掴むことも容易になり、前記のように、両側辺等を掴んで持ち上げ、自由な位置に移動させることも可能になる。
【００７６】
前記床ガラス３を元の位置に復帰させる場合は、原則として、以上と逆の操作を行えばよい。該床ガラス３が一端側に移動させてあるだけの場合は、逆方向にスライド移動させ、前記摺動脚３ａ、３ａを前記座部２に構成してある収納凹部２ａ、２ａに滑り込ませることにする。こうして床ガラス３は、その摺動脚３ａ、３ａが収納凹部２ａ、２ａに落ち込み収納状態となる。この時点で前記操作ワイヤ６ａをその操作端側で若干引っ張って前記係止片６ｂから前記係止球６ｃを外すと、前記押上部５のローラ部材５ａ等は、載っている床ガラス３の重量で下降し、該床ガラス３は四辺の全てが座部２上に載置状態となり、その上面が周囲の床面と一致する高さの水平なガラス床面に復帰する。
【００７７】
床ガラス３を座部２から完全に取り外して他の場所に移動しておいた場合は、これを復帰させ、直接、四辺形の座部２に嵌め込み状態に載置させても良い。前記のようにして、操作ワイヤ６ａの係止球６ｃを係止片６ｂから外した上で、該床ガラス３の向きを元通りにして座部２上に嵌め込み載置すれば、その摺動脚３ａ、３ａは収納凹部２ａ、２ａ中に納まり、前記押上部５のローラ部材５ａ等は、床ガラスの重量で下降するため、該床ガラス３は、前記のスライド移動させた場合と同様に、その上面を周囲の床面と一致する高さで水平状態にすることができる。
【００７８】
以下に、図１３及び図１４を参照しながら、前記開口部１ａ８に着脱自在に取り付ける蓋部材１５及びその着脱自在な取付構造の一例を説明する。
【００７９】
前記蓋部材１５は、図１３(a)〜(d)に示すように、平面から見て円形の金属で構成した部材であり、上面は中央に向かって球面状に膨らみ、中央を通る操作溝１５ａが形成してある。周側には高さ方向中間部より若干上部から最下部まで切り欠いた二つの挿入用切欠部１５ｂ、１５ｂが形成してある。これらの挿入用切欠部１５ｂ、１５ｂは、平面又は底面から見て平行になるように形成してあり、かつ前記操作溝１５ａとも平行になっている。また周側には上側面が該挿入用切欠部１５ｂ、１５ｂの上部下向面と一致し、該挿入用切欠部１５ｂ、１５ｂから連続する係止溝１５ｃ、１５ｃが形成してある。
【００８０】
またこの蓋部材１５は、その底面中央から上面の操作溝１５ａまで上下貫通する結合孔１５ｄが開口してあり、前記操作ワイヤ６ａの操作端（外端）を下面側からこれに挿入できるようになっている。該蓋部材１５の周側には、該結合孔１５ｄを若干越える深さの雌ねじ１５ｅが開口形成してあり、該雌ねじ１５ｅに固定ネジ１６をねじ込むことで、前記結合孔１５ｄに挿入した操作ワイヤ６ａを該結合孔１５ｄ中に固定することができるようになっている。
【００８１】
他方、この例では、前記昇降操作部６の係止片６ｂの直上（支分支持枠１の主枠部１ａの天板）に開口する開口部１ａ８は、図１３(a)、(e)に示すように、以上の蓋部材１５を後記スリーブ１７を介して装着するのに適する寸法の円形口に形成する。また図１３(f)、(g)及び図１４(a)、(b)に示すように、該開口部１ａ８には、上記スリーブ１７を取り付ける。該スリーブ１７は、同図に示すように、金属の円筒状部材で、上端に周方向に小さく張り出した取付用の鍔１７ａを備え、かつ該鍔１７ａの、前記主枠部１ａの天板の厚み分だけ下方に二つのスリット１７ｂ、１７ｂを対面する周方向の位置関係で形成してある。
【００８２】
該スリーブ１７は、図１３(e)、(f)及び図１４(a)、(b)に示すように、前記主枠部１ａの天板の開口部１ａ８に上方から装入して取り付ける。該スリーブ１７は、長さを適切に設定しておくことにより、同図に示すように、その上端の鍔１７ａが該開口部１ａ８の周縁に当接するまで挿入すると、その下端が前記係止片６ａの水平部正面に当接した状態となる。
【００８３】
また前記二つのスリット１７ｂ、１７ｂも前記主枠部１ａの天板の直下に位置することになる。このスリット１７ｂ、１７ｂには、図１３(f)及び図１４(a)、(b)に示すように、結合片１８、１８をそれぞれ挿入し、その後部を該主枠部１ａの天板に固定する。該結合片１８、１８の挿入深さは、前記蓋部材１５を該開口部１ａ８のスリーブ１７に、前記挿入用切欠部１５ｂ、１５ｂの部分で該結合片１８、１８との干渉を回避しながら挿入可能であり、該蓋部材１５を、該結合片１８、１８が該挿入用切欠部１５ｂ、１５ｂの上部下向面に当接するまで挿入した上で、その軸心を中心に回転させた場合に、該結合片１８、１８が前記係止溝１５ｃ、１５ｃに挿入状態となって、その抜け止めとなり得る寸法とする。なお、この状態で、該蓋部材１５はその下端が前記係止片６ｂの上端に当接する高さ寸法になっている。
【００８４】
該蓋部材１５は、その結合孔１５ｄに、図１３(f)に示すように、下方から前記操作ワイヤ６ａの操作端（外端）を挿入し、前記雌ねじ１５ｅに固定ネジ１６をねじ込んで、該操作ワイヤ６ａの操作端を該結合孔１５ｄ中に固定しておくものとする。
【００８５】
従ってこの蓋部材１５は、前記昇降操作部６の係止片６ｂの上部の開口部１ａ８を開閉自在に閉じることができる。該蓋部材１５の挿入用切欠部１５ｂ、１５ｂを、該開口部１ａ８に配したスリーブ１７のスリット１７ｂ、１７ｂから内部に突出させてある結合片１８、１８に対応させた上で、該開口部１ａ８中に挿入すると、該蓋部材１５は、該結合片１８、１８の干渉を受けずに該開口部１ａ８に挿入することができる。この実施例では、操作ワイヤ６ａの末端の長さに若干の余裕（２ｃｍ程度）を持たせたため、該蓋部材１５を該開口部１ａ８に挿入する際には、該操作ワイヤ６ａの弾力的な反発がある。従って該開口部１ａ８への挿入は押し込むようにして行うことになる。
【００８６】
該蓋部材１５は、その下端が前記係止片６ｂの上端に当接することで挿入深さが規制される。この段階で左右いずれかに９０度回転させると、図１３(f)に示すように、前記スリット１７ｂ、１７ｂから突出している結合片１８、１８が前記係止溝１５ｃ、１５ｃに係合し、該蓋部材１５を抜け止め状態となる。
【００８７】
該蓋部材１５及び前記開口部１ａ８の周縁付近にそれぞれ何らかの印を付けておけば、該蓋部材１５の挿入時の角度及び係合時の角度を容易に知り得て好都合である。
【００８８】
該開口部１ａ８を開ける場合は、以上と逆の手順によるのは云うまでもない。蓋部材１５を９０度回転させてその係止溝１５ｃ、１５ｃから前記結合片１８、１８を抜け出させると、この実施例では、前記のように、若干余裕のある操作ワイヤ６ａの弾力で該蓋部材１５が押し上げられ、該開口部１ａ８から浮き上がった状態となり、該蓋部材１５は掴み易くなる。以上の蓋部材１５の回転操作は、その上面の操作溝１５ａに硬貨等を挿入して容易に行うことができる。この後は、この蓋部材１５を掴んで引き出せば、操作ワイヤ６ａを引き出すことができることになる。従って操作ワイヤ６ａの引き出しが容易にできることになる。
【００８９】
該操作ワイヤ６ａを、図１４(a)に示すように、その途中の係止球６ｃが係止片６ｂ付近に至るまで引き出せば、前記床ガラス３の前辺は、前記し、図１２(b)等に示すように、所定高さに押し上げられ、前記したように操作して、図１４(b)に示すように、該操作ワイヤ６ａの係止球６ｃを該係止片６ｂに係止させれば、該床ガラス３の以上の押上状態が維持されることになる。押上状態を終了させる場合は、前記したようにして該係止球６ｃを該係止片６ｂから外し、蓋部材１５を引いている力を弱めればよい。床ガラス３の前辺はその重量で前記ローラ部材５ａ等を押し下げることになる。また該係止球６ｃは、前記ガイドホース９の外端側のノズル９ｂに当接状態となる。
【００９０】
この後は、前記したようにして、若干余裕のある長さの操作ワイヤ６ａを押し込みながら蓋部材１５を前記開口部１ａ８に挿入し、結合固定する。
【図面の簡単な説明】
【００９１】
【図１】(a)は実施例の単位床部材の取外支援機構を適用したガラス床ユニットの概略平面図、(b)は(a)のＡ−Ａ線断面図。
【図２】(a)は図１(b)の右端部分の上下を反転させた拡大図、(b)は図１(b)の左端部分の上下を反転させた拡大図。
【図３】(a)は実施例の単位床部材の取外支援機構を適用した、床ガラスを省略した状態のガラス床ユニットの概略平面図、(b)は(a)の床ガラスを省略しない状態のＢ−Ｂ線断面説明図。
【図４】床ガラスの下方側から見た押上部の説明図。
【図５】(a)は押上部の平面説明図、(b)は図４のＣ−Ｃ線断面説明図、(c)は図４のＤ−Ｄ線断面説明図。
【図６】(a)は図４のＥ−Ｅ線断面説明図、(b)は図４のＦ−Ｆ線断面説明図。
【図７】(a)は床ガラスの下方側から見た押上部の押上動作時の説明図、(b)は(a)のＧ−Ｇ線断面説明図、(c)は(a)のＨ−Ｈ線断面説明図。
【図８】(a)は図７(a)のＩ−Ｉ線断面説明図、(b)は図７(a)のＪ−Ｊ線断面説明図。
【図９】(a)は、昇降操作部の操作ワイヤの経路及び係止片付近の説明図、(b)は昇降操作部の操作ワイヤ及び外端側のノズル付近の説明図。
【図１０】(a)は昇降操作部のノズル及び係止片付近の平面説明図、(b)は昇降操作部のノズル及び係止片付近の側面説明図。
【図１１】(a)は操作ワイヤを引き出していない状態の昇降操作部のノズル及び係止片付近の側面説明図、(b)は操作ワイヤを引き出した状態の昇降操作部のノズル及び係止片付近の側面説明図、(c)は操作ワイヤの係止球を係止片に係止させた状態の昇降操作部のノズル及び係止片付近の側面説明図。
【図１２】(a)は床ガラスが座部に載置された状態のガラス床ユニットの断面説明図、(b)は床ガラスの前辺が押し上げられた状態のガラス床ユニットの断面説明図、(c)は床ガラスが若干スライド移動させられその摺動脚が収納凹部から出た状態のガラス床ユニットの断面説明図。
【図１３】(a)は蓋部材を開口部に挿入固定した状態の平面説明図、(b)は蓋部材の底面説明図、(c)は(a)の蓋部材のＫ−Ｋ線断面説明図、(d)は蓋部材の(c)とは直交する方向の部分断面説明図、(e)は開口部とその付近の内部の機構を示した平面説明図、(f)は床ガラスの下方側から見た蓋部材を挿入固定した開口部付近の説明図、(g)は操作ワイヤの延長前方側から見た蓋部材を挿入固定した開口部付近の断面説明図。
【図１４】(a)は操作ワイヤを引き出した状態の昇降操作部のノズル及び係止片付近の側面説明図、(b)は操作ワイヤの係止球を係止片に係止させた状態の昇降操作部のノズル及び係止片付近の側面説明図。
【符号の説明】
【００９２】
１    支分支持枠
１ａ  主枠部
１ａ１  床抑え鍔
１ａ２  固定鍔
１ａ３  上部段差部
１ａ４  丸溝
１ａ５  小鍔部
１ａ６  Ｌ型座
１ａ７  垂下板
１ａ８  係止片を配した主枠部天板部の開口部
１ｂ  従枠部
２    座部
２ａ  収納凹部
２ａ１  斜面
２ｂ  座部に開口した開口部
２ｃ  下部開口部
３    床ガラス（単位床部材）
３ａ  摺動脚（脚部材）
３ｂ  縁保護部材
３ｃ  弾性目地材
３ｄ  目地材
４    弾性当接材
５    押上部
５ａ  ローラ部材
５ａ１  軸部材
５ａ２  ローラ
５ｂ  ローラ支持部材
５ｂ１  ブラケット
５ｃ  ガイド機構
５ｃ１  案内棒
５ｃ２  支持外筒
５ｄ  コイルバネ（バネ部材）
５ｅ  梃子部材
５ｅ１  作用点用ローラ
５ｅ２  支点用軸
５ｅ３  力点用ローラ
６    昇降操作部
６ａ  操作ワイヤ（線材）
６ｂ  係止片（係止部）
６ｂｓ  スリット
６ｃ  係止球
７    上部支持箱
８    下部支持箱
９    ガイドホース
９ａ  ガイドホース内端を接続するノズル
９ｂ  ガイドホース外端を接続するノズル
１０  門型部材
１０ａ  案内ローラ
１０ａ１  軸部
１０ｂ  板材
１１ａ  ガイドホース内端を接続するノズルを固定するＬ型取付具
１１ｂ  ガイドホース外端を接続するノズルを固定するＬ型取付具
１２  根太
１３  ビス
１４  床材
１５  蓋部材
１５ａ  操作溝
１５ｂ  挿入用切欠部
１５ｃ  係止溝
１５ｄ  結合孔
１５ｅ  雌ねじ
１６  固定ネジ
１７  スリーブ
１７ａ  鍔
１７ｂ  スリット
１８  結合片
【図１】
0004503050.tif 000002
【図２】
0004503050.tif 000003
【図３】
0004503050.tif 000004
【図４】
0004503050.tif 000005
【図５】
0004503050.tif 000006
【図６】
0004503050.tif 000007
【図７】
0004503050.tif 000008
【図８】
0004503050.tif 000009
【図９】
0004503050.tif 000010
【図１０】
0004503050.tif 000011
【図１１】
0004503050.tif 000012
【図１２】
0004503050.tif 000013
【図１３】
0004503050.tif 000014
【図１４】
0004503050.tif 000015